(57)【要約】【課題】身体に装着したときに装着部位の表面のディテールに馴染んで布のような面状の形態をなすことが可能な身飾品を提供する。【解決手段】四角形板状の貴金属からなる第１要素部２と円環形状の貴金属からなる第２要素部４とを４つの連結部材６により連結してなる要素部材１０と、この要素部材１０を多数、第１要素部２及び第２要素部４がそれぞれ互いに略平行な面状に配列されるように且つ互いに隣接する要素部材１０同士の連結部材６のいずれかが集合するように配置してなる構造の集合連結部材６を束ねる環状接続部材８とを備える。環状接続部材８は互いに隣接する要素部材１０同士の相対移動を可能となすように余裕をもって連結部材を束ねることで要素部材同士を接続する。要素部材１０同士の相対移動は、それらの第１要素部２同士及び第２要素部４同士の当接により制限される。【選択図】  図１
2005000426.tif 000002
【特許請求の範囲】
【請求項１】
第１要素部と第２要素部とをそれらの間に隙間を形成するようにして３つ以上の連結部材により互いに隔てられた位置にて連結してなる要素部材と、多数の前記要素部材を前記第１要素部及び前記第２要素部がそれぞれ互いに略平行な面状に配列されるように且つ互いに隣接する前記要素部材同士の前記連結部材のいずれかが集合するように配置してなる構造の前記集合せる連結部材を束ね且つ前記隙間に位置する環状接続部材とを備えており、前記環状接続部材は前記互いに隣接する要素部材同士の相対移動を可能となすように余裕をもって前記集合せる連結部材を束ねることで前記互いに隣接する要素部材同士を接続していることを特徴とする身飾品。
【請求項２】
前記互いに隣接する要素部材同士の相対移動が前記互いに隣接する要素部材の前記第１要素部同士及び／または前記第２要素部同士の当接により制限されるようにしてなることを特徴とする、請求項１に記載の身飾品。
【請求項３】
前記第１要素部は板状部材からなり、前記第２要素部は前記第１要素部と平行に配置された環状部材からなり、前記連結部材は前記第１要素部及び前記第２要素部と直交する方向に延在する棒状部材からなることを特徴とする、請求項１〜２のいずれかに記載の身飾品。
【請求項４】
前記第１要素部は環状部材からなり、前記第２要素部は前記第１要素部と平行に配置された環状部材からなり、前記連結部材は前記第１要素部及び前記第２要素部と直交する方向に延在する棒状部材からなることを特徴とする、請求項１〜２のいずれかに記載の身飾品。
【請求項５】
前記第１要素部は外形が四角形状をなしており、前記連結部材は前記第１要素部の４隅部のそれぞれに位置することを特徴とする、請求項１〜４のいずれかに記載の身飾品。
【請求項６】
前記第１要素部は外形が円形状をなしており、前記連結部材は前記第１要素部の外周部を周方向に略４等分する位置に配置されていることを特徴とする、請求項１〜４のいずれかに記載の身飾品。
【請求項７】
前記第２要素部は外形が円形状をなしており、前記連結部材は前記第２要素部の外周部を周方向に略４等分する位置に配置されていることを特徴とする、請求項１〜６のいずれかに記載の身飾品。
【請求項８】
前記第１要素部、前記第２要素部及び前記連結部材はいずれも貴金属からなることを特徴とする、請求項１〜７のいずれかに記載の身飾品。
【請求項９】
前記第１要素部には宝玉が付されていることを特徴とする、請求項１〜８のいずれかに記載の身飾品。
【請求項１０】
請求項１〜９のいずれかに記載の身飾品を製造する方法であって、複数の前記第１要素部のそれぞれに前記連結部材を取り付けたものを、互いに隣接する前記第１要素部に取り付けられた前記連結部材のいずれかが集合するように面状に並列配置する工程と、前記集合せる連結部材を前記環状接続部材により束ねる工程と、しかる後に前記第１要素部に取り付けられた前記連結部材に前記第２要素部を取り付ける工程とを含むことを特徴とする、身飾品の製造方法。
【発明の詳細な説明】
【０００１】
【発明の属する技術分野】
本発明は、身飾品に関するものであり、特に面状をなし且つ装着される身体の部位の表面のディテールに馴染んで布のようなしなやかさを呈する改良された身飾品に関する。
【０００２】
【従来の技術及び発明が解決しようとする課題】
身飾品は、装着される身体の部位に応じてそれぞれ種々のものが使用されている。例えば、ネックレスには、多数の貴金属製または宝玉製の装飾部材を環状の又は環状に形成し得る紐または鎖により支持し連結した形態のものが一般的である。また、装飾部材を支持する紐や鎖を使用することなく、装飾部材同士を環状に連結した鎖状形態のものも一般的である。ブレスレットについても同様である。これらは、いずれも身体に装着されて一本の線状装飾としての効果を得るものであり、全体として見た場合に受ける印象が単調であり、装飾効果の向上には限度がある。
【０００３】
一方、装飾部材として比較的大きなもの（面状のものであってもよい）を紐または鎖により支持したものもあるが、この場合、支持される装飾部材は一端のみにおいて紐または鎖に支持されるのみであり、身体に装着した時にそれらがそれぞれ自由に移動可能であり、これによる装飾効果が得られるが、身体の装着部位に対するフィット感は得られない。
【０００４】
そこで、本発明は、身体に装着したときに装着部位の表面のディテールに馴染んで布のような面状の形態をなすことが可能な身飾品を提供することを目的とする。
【０００５】
【課題を解決するための手段】
本発明によれば、以上の如き目的を達成するものとして、
第１要素部と第２要素部とをそれらの間に隙間を形成するようにして３つ以上の連結部材により互いに隔てられた位置にて連結してなる要素部材と、多数の前記要素部材を前記第１要素部及び前記第２要素部がそれぞれ互いに略平行な面状に配列されるように且つ互いに隣接する前記要素部材同士の前記連結部材のいずれかが集合するように配置してなる構造の前記集合せる連結部材を束ね且つ前記隙間に位置する環状接続部材とを備えており、前記環状接続部材は前記互いに隣接する要素部材同士の相対移動を可能となすように余裕をもって前記集合せる連結部材を束ねることで前記互いに隣接する要素部材同士を接続していることを特徴とする身飾品、
が提供される。
【０００６】
本発明の一態様においては、前記互いに隣接する要素部材同士の相対移動が前記互いに隣接する要素部材の前記第１要素部同士及び／または前記第２要素部同士の当接により制限されるようにしてなる。
【０００７】
本発明の一態様においては、前記第１要素部は板状部材からなり、前記第２要素部は前記第１要素部と平行に配置された環状部材からなり、前記連結部材は前記第１要素部及び前記第２要素部と直交する方向に延在する棒状部材からなる。本発明の一態様においては、前記第１要素部は環状部材からなり、前記第２要素部は前記第１要素部と平行に配置された環状部材からなり、前記連結部材は前記第１要素部及び前記第２要素部と直交する方向に延在する棒状部材からなる。
【０００８】
本発明の一態様においては、前記第１要素部は外形が四角形状をなしており、前記連結部材は前記第１要素部の４隅部のそれぞれに位置する。本発明の一態様においては、前記第１要素部は外形が円形状をなしており、前記連結部材は前記第１要素部の外周部を周方向に略４等分する位置に配置されている。本発明の一態様においては、前記第２要素部は外形が円形状をなしており、前記連結部材は前記第２要素部の外周部を周方向に略４等分する位置に配置されている。
【０００９】
本発明の一態様においては、前記第１要素部、前記第２要素部及び前記連結部材はいずれも貴金属からなる。本発明の一態様においては、前記第１要素部には宝玉が付されている。
【００１０】
また、本発明によれば、以上の如き目的を達成するものとして、
上記の身飾品を製造する方法であって、複数の前記第１要素部のそれぞれに前記連結部材を取り付けたものを、互いに隣接する前記第１要素部に取り付けられた前記連結部材のいずれかが集合するように面状に並列配置する工程と、前記集合せる連結部材を前記環状接続部材により束ねる工程と、しかる後に前記第１要素部に取り付けられた前記連結部材に前記第２要素部を取り付ける工程とを含むことを特徴とする、身飾品の製造方法、
が提供される。
【００１１】
【発明の実施の形態】
以下、図面を参照しながら、本発明の実施の形態を説明する。
【００１２】
図１及び図３は本発明による身飾品の一実施形態を示す部分斜視図であり、図２はその分解斜視図である。また、図４は本実施形態の一部省略平面図であり、図５はその側面図である。
【００１３】
本実施形態の身飾品は、多数の要素部材を面状に配列して形成される構造の互いに隣接する要素部材同士を接続することで、両面を有する面状構造体となしたものであり、しかも、この面状構造体は身体に装着したときに装着部位の表面形状にフィットするように布のようにしなやかに変形することが可能である。以下、具体的に説明する。
【００１４】
第１要素部２は、外形が四角形状（例えば、正方形状または長方形状等の矩形状、または台形状）をなす板状部材からなる。その寸法は、例えば、厚さが０．２〜１．０ｍｍ、特に０．３〜０．８ｍｍ、具体例として０．５ｍｍで、縦横寸法が１〜５ｍｍ、特に２〜４ｍｍ、具体例として３ｍｍである。
【００１５】
第２要素部４は、外形が円形状をなす環状部材からなる。その寸法は、例えば、太さが０．２〜１．０ｍｍ、特に０．３〜０．８ｍｍ、具体例として０．５ｍｍで、円環形の直径が１〜４ｍｍ、特に１．５〜３．５ｍｍ、具体例として２．５ｍｍである。第２要素部４は、矩形環状その他の環形状をなすものであってもよい。
【００１６】
連結部材６は、棒状部材からなり、その太さが０．２〜１．０ｍｍ、特に０．３〜０．８ｍｍ、具体例として０．５ｍｍである。
【００１７】
第１要素部２及び第２要素部４は、互いに平行に配置されており、４つの連結部材６により連結されている。連結部材６は、四角形状の第１要素部２の４隅部のそれぞれに位置するとともに、第２要素部の外周部を周方向に略４等分する位置に配置されている。
【００１８】
上記第１要素部２及び第２要素部４及び４つの連結部材６により要素部材１０が形成される。第１要素部２、第２要素部４及び連結部材６は、例えば貴金属からなる。貴金属としては、装飾性に優れたものが好ましく、例えば各種純度の金、白金、銀等を使用することができる。第１要素部２の側を身体の装着部位に接する側とすることができ、その場合には図４に示されるように第１要素部２の第２要素部側の面にダイヤモンドその他の宝玉１２を固着することができる（固着手段は図示しないが、例えば通常の爪による保持固着が利用される）。この宝玉１２は、第２要素部４の円形開口から観察される。
【００１９】
多数の要素部材１０が面状に並列配置されている。即ち、多数の要素部材１０の第１要素部２が面状に配列され、第２要素部４も面状に配列され、第１要素部２及び第２要素部４がそれぞれ互いに略平行な面状に配列されている。この配列は、互いに隣接する要素部材同士の連結部材６のいずれかが集合するようになされている。即ち、第１要素部２の４隅部のそれぞれに位置する連結部材６は、隣接して配置される他の３つの第１要素部のそれぞれの隅部のうちの１つに位置する３つの連結部材６と集合している。この集合した合計４つの連結部材６は、第１要素部２と第２要素部４との間に形成された隙間に位置する環状接続部材８により束ねられている。環状接続部材８は、図では矩形環状をなしているが、円環状その他の環形状をなしていてもよい。
【００２０】
ここで、環状接続部材８は、互いに隣接する要素部材同士の相対移動（特に、一方の要素部材に対する他方の要素部材の屈曲［例えば図５における紙面に垂直の方向を中心とする回動］）を可能となすように余裕をもって連結部材６を束ねることで、互いに隣接する要素部材同士を接続している。但し、この互いに隣接する要素部材同士の相対移動は、互いに隣接する要素部材の第１要素部２同士及び／または第２要素部４同士の当接により制限されるようにする（即ち上記屈曲の角度範囲が制限されるようにする）ことができる。
【００２１】
これにより、所要の多数（本発明で、多数とは、身飾品として使用される際に、身体の装着部位に対してフィットするような変形を行い得る数をいうものとし、好ましくはこのようなフィットの可能な変形を行うに十分な数をいうものとする）の要素部材１０を接続して、身飾品となすことができる。
【００２２】
この身飾り品の製造に際しては、先ず、図２に示されているように、第１要素部２に４つの連結部材６を取り付けたもの（一体成形したもの又は融着または接着により一体化したもの等）を多数用意し、面状に並列配置する。その際に、互いに隣接する第１要素部２に取り付けられた連結部材６のいずれかが集合し、即ち４つの第１要素部２にそれぞれ取り付けられた４つの連結部材６が集合するようにする。次に、集合せる４つの連結部材６同士を、環状接続部材８を装着することで、束ねる。次に、第１要素部２に取り付けられた連結部材６に、対応する第２要素部４を取り付ける。この取付けは、融着または接着により行うことができる。また、連結部材６に対する第２要素部４の取り付けは、図６に示されているように、連結部材６を予め長く形成しておき、その先端を第２要素部４に対して折り重ねて巻き付けることで行ってもよい。
【００２３】
図７は以上のようにして形成された身飾品としてのブレスレット２０を身体に装着した状態を示す図である。ブレスレット２０は、全体として円筒帯状をなしており、幅方向及び長さ（外周）方向にそれぞれ所要の数の要素部材を配列している。長さ方向に沿って延びる端縁部の要素部材は端縁側の拘束が解除されており、フリル様の形態をなしている。
【００２４】
尚、ブレスレットは、身体への装着の便宜上、有端の帯状のものとなし、その両端部に簡易着脱接合部材を付しておくことができる。このような簡易着脱接合部材と上記要素部材との接続は、簡易着脱接合部材の端縁部に要素部材と同等な一列分のダミー要素部材（これらは、例えば第１要素部を共通の板状部材からなるものとしたものに相当する）を形成することで行うことができる。
【００２５】
また、図８は以上のようにして形成された身飾品としてのネックレス２２を身体に装着した状態を示す図である。この場合には、特に、身体の装着部位に対する良好なフィットを実現するために、第１要素部として外形が台形状のものであって輪帯の内周側（首に近い側）ほど寸法が僅かに小さいものを使用するのが好ましい。その他は、ブレスレット２２の場合と同様である。
【００２６】
以上の実施形態では、第１要素部と第２要素部とがそれぞれ互いに略平行な面状に配列されるようにして要素部材を用いた面状構造体を形成しているので、身体に装着したときに布のようにしなやかに変形して装着部位の表面形状に良好にフィットすることが可能である。
【００２７】
図９は本発明による身飾品の一実施形態を示す部分斜視図であり、図１０はその分解斜視図であり、図１１は本実施形態の一部省略平面図であり、図１２はその側面図である。これらの図において、上記図１〜６におけると同様の機能を有する部材または部分などには同一の符号が付されている。
【００２８】
本実施形態は、第１要素部２が第２要素部４と同等の円形環状部材からなることのみ上記図１他を参照して説明した実施形態と異なる。要素部材１０において、連結部材６は、第１要素部２及び第２要素部４のそれぞれの外周部を周方向に略４等分する位置に配置されている。本実施形態においては、特に、第１要素部２を宝玉支持部材として利用するのが好ましい。即ち、図１１に示されるように、第１要素部２にダイヤモンドその他の宝玉１２を固着した台座１４を固定しておけばよい。固着手段は図示しないが、例えば通常の爪による保持固着が利用される。この宝玉１２は、第２要素部４の円形開口から観察される。
【００２９】
本実施形態においても、上記図１他を参照して説明した実施形態と同様な作用効果が奏される。
【００３０】
図１３及び図１４は、それぞれ本発明による身飾品のさらに別の実施形態を説明するための模式図である。
【００３１】
図１３の実施形態では、第１要素部２の外形が正六角形状であり、その６つの隅部にそれぞれ連結部材６が位置している。面状に配置された第１要素部２の６つの隅部のそれぞれに位置する連結部材６は、互いに隣接する他の２つの第１要素部２の隅部に位置する連結部材６と集合しており、これらが環状接続部材８により束ねられている。上記実施形態と同様にして、環形状の第２要素部（図示されていない）が連結部材６により対応する第１部材２と連結される。
【００３２】
図１４の実施形態では、第１要素部の外形が正三角形状であり、その３つの隅部にそれぞれ連結部材６が位置している。面状に配置された第１要素部２，２’の３つの隅部のそれぞれに位置する連結部材６は、互いに隣接する他の５つの第１要素部２，２’の隅部に位置する連結部材６と集合しており、これらが環状接続部材８により束ねられている。上記実施形態と同様にして、環形状の第２要素部（図示されていない）が連結部材６により対応する第１部材２と連結される。なお、本実施形態では、第１要素部２，２’のうち第１要素部２のみを使用し第１要素部２’として示されている部分を空間部のままとしておくことができる。
【００３３】
これにより、要素部材同士の屈曲の自由度を高めることができる。
これら図１３及び図１４の実施形態は、上記図１〜図１２を参照して説明した実施形態とは外観即ち意匠が異なるが、同様な作用効果を奏する。
【００３４】
【発明の効果】
以上のように、本発明によれば、第１要素部と第２要素部とがそれぞれ互いに略平行な面状に配列されるようにして要素部材を用いた面状構造体を形成しているので、身体に装着したときに布のようにしなやかに変形して装着部位の表面形状に良好にフィットすることが可能な身飾品が提供される。
【図面の簡単な説明】
【図１】本発明による身飾品の一実施形態を示す部分斜視図である。
【図２】本発明による身飾品の一実施形態を示す分解斜視図である。
【図３】本発明による身飾品の一実施形態を示す部分斜視図である。
【図４】本発明による身飾品の一実施形態の一部省略平面図である。
【図５】本発明による身飾品の一実施形態の側面図である。
【図６】本発明による身飾品の一実施形態の部分断面である。
【図７】身飾品を身体に装着した状態を示す図である。
【図８】身飾品を身体に装着した状態を示す図である。
【図９】本発明による身飾品の一実施形態を示す部分斜視図である。
【図１０】本発明による身飾品の一実施形態を示す分解斜視図である。
【図１１】本発明による身飾品の一実施形態の一部省略平面図である。
【図１２】本発明による身飾品の一実施形態の側面図である。
【図１３】本発明による身飾品の実施形態を説明するための模式図である。
【図１４】本発明による身飾品の実施形態を説明するための模式図である。
【符号の説明】
２，２’  第１要素部
４  第２要素部
６  連結部材
８  環状接続部材
１０  要素部材
１２  宝玉
１４  台座
２０  ブレスレット
２２  ネックレス
【図１】
2005000426.tif 000003
【図２】
2005000426.tif 000004
【図３】
2005000426.tif 000005
【図４】
2005000426.tif 000006
【図５】
2005000426.tif 000007
【図６】
2005000426.tif 000008
【図７】
2005000426.tif 000009
【図８】
2005000426.tif 000010
【図９】
2005000426.tif 000011
【図１０】
2005000426.tif 000012
【図１１】
2005000426.tif 000013
【図１２】
2005000426.tif 000014
【図１３】
2005000426.tif 000015
【図１４】
2005000426.tif 000016